(57)【要約】      （修正有）【課題】赤ちゃんや幼児には開けることができず、赤ちゃんや幼児と軟性容器の内容物の接触による危険を防止した軟性容器用赤ちゃん開け不能装置を提供する。【解決手段】保護蓋１と、本体２と、底蓋を有する。前記保護蓋は、アイドル蓋１１と、内蓋と、吐出ノズル１３を有する。前記アイドル蓋１１は、内蓋を収納する収容空間を有し、前記内蓋は、メス螺旋が設けられた収容空間を有する。前記吐出ノズルは、内螺旋と、中空通路を有する。前記本体の収容空間は、上端が前記本体の上端に設けられた上開口と連通しており、下端が前記本体の下端に設けられた下開口と連通している。前記底蓋は、前記本体の底部の下開口を塞ぐプレートを有し、前記プレートはこの下開口に結合可能である。【選択図】図１
0003143729.tif 000002
【実用新案登録請求の範囲】
【請求項１】
保護蓋と、本体と、底蓋を含む軟性容器用赤ちゃん誤用防止装置であって、前記保護蓋は、アイドル蓋と、内蓋と、吐出ノズルから構成され、前記アイドル蓋は、上開口と連通している上端と、下開口と連通している下端を含む収容空間を有し、前記内蓋は、メス螺旋が設けられた収容空間を有し、頂端には前記アイドル蓋の上開口と脱着自在に結合している係止部が突設されており、前記吐出ノズルは、内螺旋と、複数の逆止ブロックと、中空通路を有し、前記中空通路は、上端がノズルと連通しており、下端が刺込部の底穴と連通しており、前記吐出ノズルの外面には前記内蓋に設けられたメス螺旋と螺合可能なオス螺旋が設けられており、前記本体は、収容空間を有し、前記収容空間は、上端が前記本体の上端に設けられた上開口と連通しており、下端が前記本体の下端に設けられた下開口と連通しており、前記上開口の周面には、前記吐出ノズルに設けられた複数の逆止ブロックと噛合可能な複数の逆止ブロックが設けられており、前記底蓋は、形状及び面積が前記本体の底部に設けられた下開口と同じ形状のプレートを有し、前記プレートは前記本体の底部に設けられた下開口と結合可能であることを特徴とする軟性容器用赤ちゃん開け不能装置。
【請求項２】
前記本体の対向している両側には楕円形状穴が設けられており、前記楕円形状穴には、楕円形状シートと連接するための連接端と、穴が設けられており、前記プレートの両側には結合ブロックがそれぞれ外側へ突設されており、前記本体に設けられた穴は前記プレートの両側に設けられた結合ブロックと結合可能であることを特徴とする請求項１に記載の軟性容器用赤ちゃん開け不能装置。
【請求項３】
前記プレートには直線状の切り欠き溝が設けられていることを特徴とする請求項２に記載の軟性容器用赤ちゃん開け不能装置。
【請求項４】
アイドル蓋と、内蓋と、吐出ノズルから構成される保護蓋であり、前記アイドル蓋は、上開口と連通している上端と、下開口と連通している下端を含む収容空間を有し、前記内蓋は、メス螺旋が設けられた収容空間を有し、頂端には前記アイドル蓋の上開口と脱着自在に結合している係止部が突設されており、前記吐出ノズルは、内螺旋と、中空通路を有し、前記中空通路は、上端がノズルと連通しており、下端が刺込部の底穴と連通しており、前記吐出ノズルの外面には前記内蓋に設けられたメス螺旋と螺合可能なオス螺旋が設けられていることを特徴とする軟性容器用赤ちゃん開け不能装置。
【考案の詳細な説明】
【技術分野】
【０００１】
本考案は、軟性容器に使用される装置であって、赤ちゃんや幼児が開けられないようにし、赤ちゃんと軟性容器の内容物の接触による危険を防止可能な軟性容器用赤ちゃん開け不能装置に関するものである。
【背景技術】
【０００２】
従来、例えば接着剤を収容するための軟性容器は、図６に示すように、接着剤を収容するメーン管体１´を含み、メーン管体１´の一端にはより小径な喉部１２´と連接している縮径ネック１１´が設けられている。この喉部１２´は、喉部１２´を密封するフィルム１５´を介してノズル１３´と連接しており、フィルム１５´に鋭いものを挿し込むと、喉部１２´とノズル１３´が連通する。メーン管体１´の他端にはより大径な第二端１４´が設けられている。メーン管体１´は、円筒形状にしてもいいし、他の何れかの形状にしてよく、第二端１４´から充填物をメーン管体１´に充填した後、第二端１４´は圧着接合等して閉鎖される。なお、このとき閉鎖方法によっては、第二端１４´をベースとして軟性容器を起立させることができない。そのため、内容物を絞った状態で軟性容器を卓上面に水平に置くと、内容物が第一端のノズル１３´から流出される。例えば、軟性容器がアルミ合金製である場合には、この現象が更にひどくなる。したがって、このような現象は、軟性容器が第二端１４´をベースとして立てることができれば、解決することが可能であるが、従来の軟性容器では起立させることができない。また、従来の軟性容器の喉部１２´の外部には、吐出ノズル２１´及び針具２２´を含む蓋２´と螺合可能な螺旋１６´が設けられており、吐出ノズル２１´に設けられた螺旋２１１´を螺旋１６´に螺合すると、ノズル１３´は液密に閉鎖される。針具２２´はフィルム１５´に刺し込んでフィルム１５´を破るためのものであり、フィルム１５´が針具２２´により破られると、内容物は外部に流出する。蓋２´と吐出ノズル２１´の結合及び吐出ノズル２１´とノズル１３´の結合は螺合方式を採用しているので、赤ちゃんや幼児は、これらを容易に開けることができる。そのため、内容物と接触して誤って飲むなどの事故が発生し易い。
【考案の開示】
【考案が解決しようとする課題】
【０００３】
本考案の主な目的は、軟性（軟質）容器からの内容物の流出を防止すると共に、赤ちゃんや幼児が開けられないようにし、赤ちゃんと軟性容器の内容物の接触による危険を防止できるようにした軟性容器用赤ちゃん開け不能装置を提供することにある。
【課題を解決するための手段】
【０００４】
本考案の請求項１に記載の軟性容器用赤ちゃん開け不能装置によると、保護蓋と、本体と、底蓋を含む軟性容器用赤ちゃん誤用防止装置であって、前記保護蓋は、アイドル蓋と、内蓋と、吐出ノズルから構成され、前記アイドル蓋は、上開口と連通している上端と、下開口と連通している下端を含む収容空間を有し、前記内蓋は、メス螺旋が設けられた収容空間を有し、頂端には前記アイドル蓋の上開口と脱着自在に結合している係止部が突設されており、前記吐出ノズルは、内螺旋と、複数の逆止ブロックと、中空通路を有し、前記中空通路は、上端がノズルと連通しており、下端が刺込部の底穴と連通しており、前記吐出ノズルの外面には前記内蓋に設けられたメス螺旋と螺合可能なオス螺旋が設けられており、前記本体は、収容空間を有し、前記収容空間は、上端が前記本体の上端に設けられた上開口と連通しており、下端が前記本体の下端に設けられた下開口と連通しており、前記上開口の周面には、前記吐出ノズルに設けられた複数の逆止ブロックと噛合可能な複数の逆止ブロックが設けられており、前記底蓋は、形状及び面積が前記本体の底部に設けられた下開口と同じ形状のプレートを有し、前記プレートは前記本体の底部に設けられた下開口と結合可能であることを特徴とする軟性容器用赤ちゃん開け不能装置が提供される。
【０００５】
本考案の請求項２に記載の軟性容器用赤ちゃん開け不能装置によると、前記本体の対向している両側には楕円形状穴が設けられており、前記楕円形状穴には、楕円形状シートと連接するための連接端と、穴が設けられており、前記プレートの両側には結合ブロックがそれぞれ外側へ突設されており、前記本体に設けられた穴は前記プレートの両側に設けられた結合ブロックと結合可能である。
本考案の請求項３に記載の軟性容器用赤ちゃん開け不能装置によると、前記プレートには直線状の切り欠き溝が設けられている。
【０００６】
本考案の請求項４に記載の軟性容器用赤ちゃん開け不能装置によると、アイドル蓋と、内蓋と、吐出ノズルから構成される保護蓋であり、前記アイドル蓋は、上開口と連通している上端と、下開口と連通している下端を含む収容空間を有し、前記内蓋は、メス螺旋が設けられた収容空間を有し、頂端には前記アイドル蓋の上開口と脱着自在に結合している係止部が突設されており、前記吐出ノズルは、内螺旋と、中空通路を有し、前記中空通路は、上端がノズルと連通しており、下端が刺込部の底穴と連通しており、前記吐出ノズルの外面には前記内蓋に設けられたメス螺旋と螺合可能なオス螺旋が設けられていることを特徴とする軟性容器用赤ちゃん開け不能装置が提供される。
【０００７】
（考案の効果）
本考案の軟性容器用赤ちゃん開け不能装置によれば、赤ちゃんや幼児が開けられないことにより、赤ちゃんと軟性容器の内容物の接触による危険を防止することができ、また軟性容器が本体内に起立状態で収納されているので、内容物が流出しないという効果を有する。
【考案を実施するための最良の形態】
【０００８】
以下、本考案の実施の形態を図面に基づいて説明する。
まず、図１を参照する。本考案に係る軟性容器用赤ちゃん開け不能装置は、保護蓋１と、本体２と、底蓋３を具備する。
保護蓋１は、アイドル蓋１１と、内蓋１２と、吐出ノズル１３から構成されている。図２及び図３に示すように、アイドル蓋１１は、合成樹脂材料によって作製され、上開口１１２と連通している上端と、下開口１１３と連通している下端を含む収容空間１１１を有している。内蓋１２は、合成樹脂材料によって作製され、メス螺旋１２３が設けられた収容空間１２１を有し、頂端には亀首形状を呈する係止部１２２が突設されている。この内蓋１２は、下開口１１３からアイドル蓋１１内に入れられ、係止部１２２をアイドル蓋１１に設けた上開口１１２に脱着自在に結合して取り付けられる。その結果、係止部１２２と結合しているアイドル蓋１１は内蓋１２に対して回動自在であり、一定強さ以上の力でアイドル蓋１１を下へ押えた状態で回転させないと、内蓋１２を回転して開けることができない。なお、吐出ノズル１３は合成樹脂材料によって作製されたものであり、内螺旋１３０と、一方に傾斜する山形状を呈する複数の逆止ブロック１３６と、中空通路１３１を有し、中空通路１３１は、上端がノズル１３２と連通しており、下端が刺込部１３４の底穴１３３と連通しており、吐出ノズル１３の外面には内蓋１２に設けられたメス螺旋１２３と螺合可能なオス螺旋１３５が設けられている。
【０００９】
本体２は、合成樹脂材料によって作製され、軟性（軟質）容器４収納するための収容空間２１を有する。収容空間２１は、上端が本体２の上端に設けられた上開口２２と連通しており、下端が本体２の下端に設けられた下開口２３と連通している。上開口２２の周面には、一方に傾斜する山形状を呈する複数の逆止ブロック２２１が突設されており、本体２の対向している両側には楕円形状穴２４が設けられている。この楕円形状穴２４には、楕円形状シート２６と連接するための連接端２５が設けられているが、連接端２５は、勿論、楕円形状シート２６の上端に設けることに限定されるものではなく、楕円形状シート２６の他の何れかの箇所に設けてもよい。本体２の対向している両側の底部には穴27がそれぞれ設けられている。楕円形状シート２６を押圧するとき指先が滑らないよう楕円形状シート２６の外面には突起２６１が設けられており、一般に、ユーザが親指と人差し指でシート２６を挟んで指間が近接する方向に摘むと、楕円形状シート２６が押圧されて収容空間２１の内側に移動して軟性容器４を圧迫することができる。
【００１０】
底蓋３は、形状及び面積が本体２の底部に設けられた下開口２３と同じ形状のプレート３１を有し、プレート３１の両側には本体２に設けた穴２７に結合するよう結合ブロック３２がそれぞれ外側へ向けて突設され、底蓋３を本体２に結合し、且つ本体２の底部に設けられた下開口２３を閉鎖できるようにしてある。本体２内に収納した軟性容器４の摺動やズレを防止するために、プレート３１には直線状の切り欠き溝３３を設けてあり、切り欠き溝３３は、例えばプレート３１の上面に互いに平行している二つの壁３４を立設し、二つの壁３４の両端を別の壁に閉鎖して形成しているが、その他適宜の形状、構造に形成してもよい。
【００１１】
次に、図４を参照しながら本考案の使用状態を説明する。まず、底蓋３に設けられた切り欠き溝３３に軟性容器４の直線状の第二端４２を嵌合して、軟性容器４の第一端４１が本体２の上開口２２から突出するように、軟性容器を本体内に入れる。軟性容器４の第一端４１を本体２の上開口２２に入れたら、穴２７に底蓋３の二つの結合ブロック３２をそれぞれ係合して、底蓋３を本体２に結合し本体２の下開口２３を閉鎖する。これにより、軟性容器４は本体２内に安定に固定される。次に、保護蓋１と軟性容器４を結合する。すなわち、保護蓋１の吐出ノズル１３に設けられた内螺旋１３０を軟性容器４に設けられた螺旋４３に螺合する。そして、吐出ノズル１３の刺込部１３４を軟性容器４に設けたフィルム４４に刺し込むと、フィルム４４が破られ、刺込部１３４の底穴１３３と軟性容器４の内部４５が連通する。そして図５に示すように、吐出ノズル１３に設けられた複数の逆止ブロック１３６を本体２の上開口２２の周面に設けられた複数の逆止ブロック２２１に噛合わせる。軟性容器４内に収容されている内容物を吐出させる場合には、まず、軟性容器４の第一端４１が下に向くように軟性容器４を立て、楕円形状シート２６を内側へ押圧すれば、楕円形状シート２６が収容空間２１内に設けられた軟性容器４を圧迫して、軟性容器４内の内容物を第一端４１から流出させることができる。なお、楕円形状シート２６への押圧を解除すると、楕円形状シート２６は、外側に移動され、収容空間２１内に設けられた軟性容器４を圧迫しないから、流出は止まる。
【００１２】
上記のように、吐出ノズル１３に設けられた複数の逆止ブロック１３６は本体２の上開口２２の周面に設けられた複数の逆止ブロック２２１に係合して一方向の回転がストップされるので、吐出ノズル１３を逆方向に回転することができなくなり、これにより、吐出ノズル１３は軟性容器４から離脱することができない。そして一定強さ以上の力でアイドル蓋１１を下へ押えて回転しないと、内蓋１２を回転して開けることができないので、赤ちゃんは、内蓋１２を開けることができなく、軟性容器の内容物との接触による危険を防止することができる。
【００１３】
上記のように、本考案は、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１４】
【図１】本考案の分解斜視図である。
【図２】本考案の組合せ状態を示す断面図である。
【図３】本考案に係る内蓋が開けられて内容物を使用可能になった状態を示す概略図である。
【図４】本考案の使用状態を示す断面図である。
【図５】本考案に係る吐出ノズルに設けられた複数の逆止ブロックが本体に設けられた複数の逆止ブロックと噛合っている状態を示す平面図である。
【図６】従来の軟性容器に吐出ノズルが組合せられている状態を示す断面図である。
【符号の説明】
【００１５】
１：保護蓋、２：本体、３：底蓋、４：容器、１１：アイドル蓋、１２：内蓋、１３：吐出ノズル、２１：収容空間、２２：上開口、２３：下開口、２４：楕円形状穴、２５：連接端、２６：楕円形状シート、２７：穴、３１：プレート、３２：結合ブロック、３３：切り欠き溝、３４：壁、４１：第一端、４２：第二端、４３：螺旋、４４：フィルム、４５：内部、１１１：収容空間、１１２：上開口、１１３：下開口、１２１：収容空間、１２２：係止部、１２３：メス螺旋、１３０：内螺旋、１３１：中空通路、１３２：ノズル、１３３：底穴、１３４：刺込部、１３５：オス螺旋、１３６：逆止ブロック、２２１：逆止ブロック。
【図１】
0003143729.tif 000003
【図２】
0003143729.tif 000004
【図３】
0003143729.tif 000005
【図４】
0003143729.tif 000006
【図５】
0003143729.tif 000007
【図６】
0003143729.tif 000008